(57)【要約】【課題】火災受信機と火災感知器とを接続するＣラインまたはＬラインに地絡が発生していることを容易に検出することができ、しかも、地絡が発生している場合に、表示・音響で人に知らせることができ、地絡に迅速に対応することができる火災報知設備を提供することを目的とするものである。【解決手段】Ｐ型火災受信機と、火災感知器と、上記Ｐ型火災受信機と火災感知器とを接続するＣラインまたはＬｎラインの地絡を検出する地絡検出回路と、上記地絡検出回路が地絡を検出すると、表示または音響で地絡を警告する地絡警告手段とを有する火災報知設備である。【選択図】　図１
2004126826.tif 000002
【特許請求の範囲】
【請求項１】
Ｐ型火災受信機と；
火災感知器と；
上記Ｐ型火災受信機と火災感知器とを接続するＣラインまたはＬｎラインの地絡を検出する地絡検出回路と；
上記地絡検出回路が地絡を検出すると、表示または音響で地絡を警告する地絡警告手段と；
を有することを特徴とする火災報知設備。
【発明の詳細な説明】
【０００１】
【発明の属する技術分野】
本発明は、火災報知設備に関する。
【０００２】
【従来の技術】
Ｐ型火災受信機と火災感知器とを接続するＣラインおよびＬラインが地絡すると、火災が発生していないのに、火災であると誤検出することがある。
【０００３】
この誤検出を防止するために、Ｐ型火災受信機と火災感知器とを接続するＣラインまたはＬラインの地絡を検出するが、この場合、従来は、火災感知器が設置されている現場で、作業員がテスタ等を使用し、定期的、たとえば、半年毎に地絡をチェックする。つまり、火災感知器が設置されている近傍のＣラインまたはＬｎラインとＧＮＤとの間にテスタを当て、それらの間におけるインピーダンスを測定し、この測定されたインピーダンスに応じて、地絡が生じているか否かを判断する。
【０００４】
【発明が解決しようとする課題】
しかし、上記従来方法では、作業員が地絡を検出するための作業時間が長くなり、また、場合によっては、地絡が発生した時点から、地絡を検出するまでの期間に、火災の誤検出、すなわち、誤報等の支障が生じることがある。誤報があれば、自動的に誤検出の階の地区レベルと、その直上階の地区レベルとが鳴動し、多くの人々に迷惑をかけることになる。
【０００５】
つまり、従来は、Ｐ型火災受信機と火災感知器とを接続するＣラインまたはＬラインに地絡が発生していることを検出する作業が煩雑であるという問題があり、また、地絡が発生した場合に、地絡に対応することが遅いという問題がある。
【０００６】
本発明は、Ｐ型火災受信機と火災感知器とを接続するＣラインまたはＬラインに地絡が発生していることを容易に検出することができ、しかも、地絡が発生している場合に、表示・音響で人に知らせることができ、地絡に迅速に対応することができる火災報知設備を提供することを目的とするものである。
【０００７】
【課題を解決するための手段】
本発明は、Ｐ型火災受信機と、火災感知器と、上記Ｐ型火災受信機と火災感知器とを接続するＣラインまたはＬｎラインの地絡を検出する地絡検出回路と、上記地絡検出回路が地絡を検出すると、表示または音響で地絡を警告する地絡警告手段とを有する火災報知設備である。
【０００８】
【発明の実施の形態および実施例】
図１は、本発明の一実施例である火災報知設備ＦＡ１を示す回路図である。
【０００９】
火災報知設備ＦＡ１は、Ｐ型火災受信機ＲＥと、Ｃラインと、Ｌｎラインと、ＣラインとＬｎラインとの間に接続されている火災感知器ＳＥ１、ＳＥ２、……とを有する。
【００１０】
火災受信機ＲＥは、制御部ＣＯＮＴと、火災検出回路１００と、７セグメント表示部を具備する表示部ＤＰと、ブザーＢｚとを有する。
【００１１】
制御部ＣＯＮＴは、地絡検出回路２００と、ＣＰＵ３００と、ＲＡＭ４００と、音響回路５００とを有する。フレームグランドＦＧ（キャビネット）は、建物の鉄骨等（アースＥ）に接続される。なお、地絡検出回路２００と火災検出回路１００とその他の回路には、図示しない共通の電源回路から電源を供給されている。したがって、双方の回路２００、１００のグランドＧＮＤの電位は同レベルである。また、各回路から見るとアースＥの電位は浮いた形となっている。
【００１２】
図２は、上記実施例に設けられている火災感知器ラインの地絡検出回路２００を示す回路図である。
【００１３】
火災感知器ラインの地絡検出回路２００は、フレームグランドＦＧに接続される地絡検出端子Ｔ１と、過大電圧吸収用ツェナーダイオードＺ１、Ｚ２と、ノイズ吸収用コンデンサＣ１、Ｃ２と、基準電圧発生回路１０と、Ｃライン用コンパレータ２０と、Ｌライン用コンパレータ３０と、幅の狭いノイズ吸収用コンデンサとＣ３、Ｃ４と、プルアップ抵抗Ｒ９、Ｒ１０とを有する。
【００１４】
基準電圧発生回路１０は、電圧分割抵抗Ｒ６、Ｒ７、Ｒ８によって構成され、電源電圧を分割し、Ｃライン判別用の基準電圧Ｖｒｅｆｃと、Ｌライン判別用の基準電圧Ｖｒｅｆｌとを発生する。Ｃライン判別用の基準電圧Ｖｒｅｆｃは、抵抗Ｒ６と抵抗Ｒ７との接続点に発生し、Ｌライン判別用の基準電圧Ｖｒｅｆｌは、抵抗Ｒ７と抵抗Ｒ８との接続点に発生する。
【００１５】
なお、「地絡」は、ＣラインまたはＬラインとフレームグランドＦＧ（キャビネット）との間の抵抗値が、所定の抵抗値（理論値は６８ｋ）以下になることである。つまり、Ｃライン、Ｌライン、火災感知器ＳＥ等の被覆が破れると、火災受信機ＲＥのキャビネットに直接接触したり、布設現場の鉄骨の結露水等に接触し、地絡が生じる。
【００１６】
次に、上記実施例の動作について説明する。
【００１７】
まず、地絡検出回路２００の動作について説明する。
【００１８】
Ｃラインが地絡すると、Ｃラインに印加されている電圧が、Ｃライン→地絡検出端子Ｔ１→抵抗Ｒ１→抵抗Ｒ４→抵抗Ｒ５→コンパレータ２０の（−）端子を介して分割され、この分割された電圧が印加され、この印加された電圧が、グランドＧＮＤに対してＣライン判別用基準電圧Ｖｒｅｆｃよりも高くなるので、Ｃライン用コンパレータ２０の出力信号ＥＥ＋が低下し（ＯＮし）、ＣＰＵ３００が、Ｃライン用コンパレータ２０の出力信号ＯＮを読み取り、Ｃライン地絡を検出する。これによって、表示部ＤＰに設けられている７セグメント表示装置に、エラーコードＥ１１を表示し、故障音響を鳴動する。
【００１９】
一方、Ｌラインが地絡すると、Ｌラインの電圧は、Ｌライン→地絡検出端子Ｔ１→抵抗Ｒ１→抵抗Ｒ４→抵抗Ｒ５→コンパレータ３０の（＋）端子を介して分割され、この分割された電圧が印加され、この印加された電圧が、グランドＧＮＤに対してＬライン判別用基準電圧Ｖｒｅｆｌよりも低くなるので、Ｌライン用コンパレータ３０の出力信号ＥＥ−が低下し（ＯＮし）、ＣＰＵ３００が、Ｌライン用コンパレータ３０の出力信号ＯＮを読み取り、Ｌライン地絡を検出する。これによって、表示部ＤＰに設けられている７セグメント表示装置に、エラーコードＥ１２を表示し、故障音響を鳴動する。
【００２０】
つまり、電源（＋１）が通常２４Ｖに設定され、グランドＧＮＤが０Ｖに設定され、互いに同じインピーダンスである抵抗Ｒ２、Ｒ３の接続点が１２Ｖであり、この１２Ｖが、地絡検出電圧として、コンパレータ２０の（−）端子に供給され、コンパレータ３０の（＋）端子に供給されている。
【００２１】
一方、基準電圧発生回路１０が、Ｃライン判別用基準電圧Ｖｒｅｆｃ（１６Ｖ）と、Ｌライン判別用基準電圧Ｖｒｅｆｌ（８Ｖ）とを発生し、これらの基準電圧が、それぞれ、コンパレータ２０の（＋）端子、コンパレータ３０の（−）端子に供給されている。つまり、抵抗Ｒ２、Ｒ３の接続点の電圧（地絡が生じていない通常は１２Ｖ）が、１６Ｖよりも高くなったこと（Ｃライン側に地絡したことによって、Ｃラインの電圧、たとえば約２４Ｖが印加され、抵抗Ｒ１、Ｒ２、Ｒ３による電圧分割比が変わり、抵抗Ｒ２、Ｒ３の接続点の電圧が上昇する）を、コンパレータ２０が判別し、８Ｖよりも低くなったこと（Ｌライン側に地絡したことによって、Ｌラインの電圧、たとえば２Ｖが印加され、抵抗Ｒ２、Ｒ３の接続点の電圧が下がったこと）を、コンパレータ３０が判別する。
【００２２】
図３は、上記実施例の動作を示すフローチャートである。
【００２３】
地絡検出回路２００が、Ｃラインの地絡を検出すると（Ｓ１０）、火災受信機ＲＥ内のＲＡＭ４００に格納されているＣライン地絡フラグをＯＮし（Ｓ１１）、上記７セグメント表示装置に、エラーコードＥ１１を表示し（Ｓ１２）、ブザーＢｚが故障音響を鳴動する（Ｓ１３）。
【００２４】
Ｃライン地絡を検出しない場合（Ｓ１０）、Ｃライン地絡フラグがＯＮであれば（Ｓ２０）、Ｃライン地絡フラグをＯＦＦし（Ｓ２１）、エラーコードＥ１１を消去し（Ｓ２２）、故障音響を停止する（Ｓ２３）。
【００２５】
一方、地絡検出回路２００が、Ｌラインの地絡を検出すると（Ｓ３０）、火災受信機ＲＥ内のＲＡＭ４００に格納されているＬライン地絡フラグをＯＮし（Ｓ３１）、７セグメント表示装置に、エラーコードＥ１２を表示し（Ｓ３２）、ブザーＢｚが故障音響を鳴動する（Ｓ３３）。
【００２６】
Ｌライン地絡を検出しない場合（Ｓ３０）、Ｌライン地絡フラグがＯＮであれば（Ｓ４０）、Ｌライン地絡フラグをＯＦＦし（Ｓ４１）、エラーコードＥ１２を消去し（Ｓ４２）、故障音響を停止する（Ｓ４３）。
【００２７】
上記実施例によれば、地絡検出回路２００が地絡検出を常時、実行するので、地絡を検出する作業が容易であり、また、地絡の発生を表示・音響で人に知らせるので、地絡が生じた場合、その地絡に迅速に対応することができる。
【００２８】
また、Ｃライン、Ｌラインのうちのいずれか１本の地絡に対して迅速に対応することができるので、２本目のラインの地絡が発生する前に復旧処理することができ、地絡による誤報をなくすことができ、誤報の少ないＰ型火災受信機を有する火災報知設備を提供することができる。
【００２９】
なお、Ｒ型火災受信機では、伝送用電源、内部回路用電源等、電源を複数、必要とするので、地絡検出回路を設けるとすれば、その地絡検出回路を、上記電源数だけ必要である。ところが、Ｐ型火災受信機は、電源が１つであるので、地絡検出回路を設置する場合、地絡検出回路を１つ設置すれば足りる。
【００３０】
【発明の効果】
本発明によれば、地絡検出を常時、行い、表示・音響で人に知らせるので、地絡に迅速に対応することができ、誤報の少ないＰ型受信機を有する火災報知設備を提供することができるという効果を奏する。
【図面の簡単な説明】
【図１】本発明の一実施例である火災報知設備ＦＡ１を示す回路図である。
【図２】上記実施例に設けられている地絡検出回路２００を示す回路図である。
【図３】上記実施例の動作を示すフローチャートである。
【符号の説明】
ＲＥ…Ｐ型火災受信機、
ＳＥ…火災感知器、
１００…火災検出回路、
２００…地絡検出回路、
１０…基準電圧発生回路、
２０…Ｃライン用コンパレータ、
Ｖｒｅｆｃ…Ｃライン判別用基準電圧、
３０…Ｌライン用コンパレータ、
Ｖｒｅｆｌ…Ｌライン判別用基準電圧、
３００…ＣＰＵ、
４００…ＲＡＭ、
５００…音響回路、
ＤＰ…表示部、
Ｂｚ…ブザー、
Ｔ１…地絡検出端子。
【図１】
2004126826.tif 000003
【図２】
2004126826.tif 000004
【図３】
2004126826.tif 000005